(57)【要約】【課題】使用者による壁スイッチの操作の手間の削減を図る。【解決手段】点灯装置３は、外部電源９から入力される電力を電力変換して光源に出力する昇圧回路４０３及び降圧回路４０４と、壁スイッチ８０のオン／オフ操作を検出する検出部（制御回路５００及び電圧検出回路４１１）とを備える。点灯装置３は、検出部が検出するオン／オフ操作に応じて降圧回路４０４を制御し、ＬＥＤモジュール２２の点灯状態を複数の点灯状態のうちの一つの点灯状態に切り替える制御回路５００を備える。制御回路５００は、オン／オフ操作を検出したときのＬＥＤモジュール２２の点灯状態が、既に変更されているべき点灯状態と異なる点灯状態である場合、既に変更されているべき点灯状態に切り替えるように降圧回路４０４を制御する。【選択図】        図４
2020053232.tif 000002
【特許請求の範囲】
【請求項１】
壁スイッチを介して外部電源と電気的に接続され、前記外部電源から前記壁スイッチを介して供給される電力によって光源を点灯する点灯装置であって、
前記外部電源から入力される電力を電力変換して前記光源に出力する電源回路と、
前記壁スイッチのオン／オフ操作を検出する検出部と、
前記検出部が検出する前記オン／オフ操作に応じて前記電源回路を制御し、前記光源の点灯状態を複数の点灯状態のうちの一つの点灯状態に切り替える制御回路と、
を備え、
前記制御回路は、前記検出部が前記オン／オフ操作を検出したときの前記光源の点灯状態が、既に変更されているべき点灯状態と異なる点灯状態である場合、前記既に変更されているべき点灯状態に切り替えるように前記電源回路を制御する、
点灯装置。
【請求項２】
前記制御回路は、前記外部電源から電力が供給されているときに前記検出部が前記オン／オフ操作を検出した場合、前記検出部が検出した前記オン／オフ操作に応じて切り替えた前記光源の点灯状態を記憶し、
前記制御回路は、前記外部電源から電力の供給が開始されたとき、前記光源の点灯状態を、記憶している前記光源の点灯状態に切り替えるように前記電源回路を制御する、
請求項１記載の点灯装置。
【請求項３】
前記制御回路は、前記オン／オフ操作の複数のパターンを記憶し、前記検出部が検出する前記オン／オフ操作のパターンに一致する一つのパターンを前記複数のパターンの中から選択し、前記選択したパターンに応じて前記光源の点灯状態を切り替える、
請求項１又は２記載の点灯装置。
【請求項４】
前記オン／オフ操作の複数のパターンは、前記壁スイッチがオンしているオン時間、前記壁スイッチがオフしているオフ時間、及び前記壁スイッチが所定の期間内にオン及びオフする回数の組合せからなる、
請求項３記載の点灯装置。
【請求項５】
前記制御回路は、前記検出部が前記オン／オフ操作を検出した時点から一定時間内においては、前記検出部の前記オン／オフ操作の検出結果を無視し、前記一定時間後に前記検出部が検出する前記オン／オフ操作に応じて前記光源の点灯状態を切り替える、
請求項１又は２記載の点灯装置。
【請求項６】
前記検出部は、前記電源回路の出力電圧によって前記壁スイッチのオン／オフ操作を検出する、
請求項１〜５のいずれか１項に記載の点灯装置。
【請求項７】
前記電源回路と前記検出部と前記制御回路を収容するケースを備え、
前記ケースの一端に前記電源回路の入力端子が配置され、前記入力端子が配置された前記ケースの一端に対して、前記電源回路を挟んで反対側に位置する前記ケースの他端に前記検出部が配置される、
請求項１〜６のいずれか１項に記載の点灯装置。
【請求項８】
請求項１〜７のいずれかに記載の点灯装置と、
前記点灯装置に点灯させられる光源と、
前記点灯装置及び前記光源を支持する支持体と、
を備える、
照明器具。
【請求項９】
請求項８の照明器具を複数有し、
外部電源から前記複数の照明器具への給電路を開閉する壁スイッチを有する、
照明システム。
【発明の詳細な説明】
【技術分野】
【０００１】
本開示は、点灯装置、照明器具、及び照明システムに関し、より詳細には、外部電源の入切に応じて光源の点灯状態を切り替える点灯装置、照明器具、及び照明システムに関する。
【背景技術】
【０００２】
従来例として、特許文献１記載の点灯装置、照明器具、及び照明システムを例示する。従来例の照明システムは、複数の照明器具と、商用電源から各照明器具への給電をオン／オフする壁スイッチとを有する。複数の照明装置の各々は、光源と、光源を点灯する点灯装置とを有する。点灯装置は、光源を点灯させる点灯回路部と、点灯回路部を制御し、光源の出力を制御する出力制御部とを有する。点灯装置は、更に点灯装置に供給される電源電圧の状態を検出し、壁スイッチのオン／オフ状態を判別する電源検出部と、出力制御部へ調光指令値を出力する調光制御部を有する。
【０００３】
従来例の照明システムでは、電源検出部が壁スイッチのオン／オフ状態を検出し、調光制御部が所定の電源オン／オフ操作（短時間の電源オフ操作）を検出すると、調光制御部が通常点灯モードから調光比設定モードに移行する。調光比設定モードにおいて、調光制御部は所定の時間間隔ごとに調光比を全点灯、７５％調光、５０％調光、２５％調光、全点灯というように順次自動的に繰り返し切り替えるように出力制御部へ調光指令値を出力する。この調光比設定モードにおいて、調光制御部が次に所定の電源オン／オフ操作（電源オフ操作）を検出したときの調光比を不揮発性メモリに記憶する。次回壁スイッチによって電源がオンされたときには、調光制御部が不揮発性メモリに記憶された調光比を読み出し、読み出した調光比に応じた調光指令値を出力制御部に出力する。そして、点灯回路部が光源を不揮発性メモリに記憶された調光比にて点灯させる。
【先行技術文献】
【特許文献】
【０００４】
【特許文献１】特開２０１０−２０９７２号公報
【発明の概要】
【発明が解決しようとする課題】
【０００５】
ところで、上記従来例のように壁スイッチのオン／オフ操作によって点灯装置に調光比を変更させる場合、点灯装置を構成する回路素子の定数のばらつき等に起因して、壁スイッチのオン／オフ操作の検出に失敗する照明器具（点灯装置）が現れる場合がある。この場合、壁スイッチのオン／オフ操作の検出に失敗した照明器具（点灯装置）の不揮発性メモリには誤った調光比が記憶されてしまう。したがって、複数の照明器具（点灯装置）の動作状態をそろえるためには、使用者が壁スイッチを操作して不揮発性メモリに記憶されている調光比を消去する（リセットする）必要がある。
【０００６】
本開示の目的は、使用者による壁スイッチの操作の手間の削減を図ることができる点灯装置、照明器具、及び照明システムを提供することである。
【課題を解決するための手段】
【０００７】
本開示の一態様に係る点灯装置は、壁スイッチを介して外部電源と電気的に接続され、前記外部電源から前記壁スイッチを介して供給される電力によって光源を点灯する。前記点灯装置は、前記外部電源から入力される電力を電力変換して前記光源に出力する電源回路と、前記壁スイッチのオン／オフ操作を検出する検出部とを備える。前記点灯装置は、前記検出部が検出する前記オン／オフ操作に応じて前記電源回路を制御し、前記光源の点灯状態を複数の点灯状態のうちの一つの点灯状態に切り替える制御回路を備える。前記制御回路は、前記検出部が前記オン／オフ操作を検出したときの前記光源の点灯状態が、既に変更されているべき点灯状態と異なる点灯状態である場合、前記既に変更されているべき点灯状態に切り替えるように前記電源回路を制御する。
【０００８】
本開示の一態様に係る照明器具は、前記点灯装置と、前記点灯装置に点灯させられる光源と、前記点灯装置及び前記光源を支持する支持体と、を備える。
【０００９】
本開示の一態様に係る照明システムは、前記照明器具を複数有し、外部電源から前記複数の照明器具への給電路を開閉する壁スイッチを有する。
【発明の効果】
【００１０】
本開示の点灯装置、照明器具、及び照明システムは、使用者による壁スイッチの操作の手間の削減を図ることができるという効果がある。
【図面の簡単な説明】
【００１１】
【図１】図１は、本開示の実施形態に係る照明システムのシステム構成図である。
【図２】図２は、本開示の実施形態に係る照明器具の分解斜視図である。
【図３】図３は、同上の照明器具の断面図である。
【図４】図４は、本開示の実施形態に係る点灯装置の回路図である。
【図５】図５は、同上の点灯装置の正面図である。
【図６】図６は、同上の点灯装置における初期照度補正機能の説明図である。
【図７】図７Ａは、同上の点灯装置における第１の操作パターンの検出動作を説明するためのタイムチャートである。図７Ｂは、同上の点灯装置における第２の操作パターンの検出動作を説明するためのタイムチャートである。
【発明を実施するための形態】
【００１２】
下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
本開示の実施形態に係る照明システム８は、図１に示すように、本開示の実施形態に係る複数の照明器具１と、壁スイッチ８０とを備える。壁スイッチ８０は、例えば、タンブラスイッチ及びワイドハンドル形スイッチなどの屋内用小形スイッチ（日本工業規格ＪＩＳ  Ｃ８３０４参照）である。壁スイッチ８０は、外部電源９から複数（図示例では６台）の照明器具１への給電路を開閉する。外部電源９は、例えば、商用の電力系統であり、実効値が１００Ｖ、電源周波数６０Ｈｚ又は５０Ｈｚの交流電圧を供給する。
【００１４】
図１に示すように、６台の照明器具１のうちの３台の照明器具１が外部電源９と壁スイッチ８０に電気的に直列接続されている。そして、６台の照明器具１のうちの残り３台の照明器具１が外部電源９と壁スイッチ８０に電気的に直列接続され、かつ、他の３台の照明器具１に対して電気的に並列接続されている。ゆえに、６台の照明器具１の各々は、壁スイッチ８０がオン状態であるときに外部電源９から電力（交流電力）が供給されて点灯し、壁スイッチ８０がオフ状態であるときに消灯する。ただし、外部電源９及び壁スイッチ８０に対する複数の照明器具１の接続関係は上記接続関係に限定されない。
【００１５】
複数の照明器具１はすべて共通の構成を有している。照明器具１は、天井に取り付けられる直付け型の照明器具であるが、天井に埋め込まれる埋込型の照明器具、あるいは壁などの天井以外の場所に取り付けられる照明器具であってもかまわない。また、以下の説明では、特に断りのない限り、図２に示す方向において照明器具１の上下、左右、前後の各方向を規定する。
【００１６】
照明器具１は、図２及び図３に示すように光源ユニット２と、器具本体１０とを有する。器具本体１０は、ナット３００によって吊りボルト２００に固定され、天井１００に直付けされる。光源ユニット２は、器具本体１０に対して着脱可能に取り付けられる。
【００１７】
器具本体１０は、板金に曲げ加工を施すことで長尺かつ上面（天井１００との対向面）が開口するへん平な箱状に形成される。また、器具本体１０は、天井１００と反対側（下側）には光源ユニット２を収容するための矩形の凹部１１が長手方向（前後方向）の全長にわたって設けられている。また、器具本体１０の左右方向（幅方向）における凹部１１の両側には、凹部１１の開口端縁から延出し、かつ外側に向かって上方へ傾斜する傾斜部１２がそれぞれ設けられている。
【００１８】
また、凹部１１の底板１１１には、電源線９０を通すための孔１１１Ａが前後方向（長手方向）におけるほぼ中央に設けられている。さらに、この底板１１１には、前後方向における両端寄りの位置に吊りボルト２００を通すための孔１１１Ｂがそれぞれ設けられている。そして、底板１１１の下面には端子台２５が取り付けられる。端子台２５は、電源線９０と電気的に接続される。また、端子台２５から接地線を含む３本の電線２５０が引き出されている。さらに、これら３本の電線２５０の先端にプラグコネクタ２５１が電気的に接続されている。
【００１９】
光源ユニット２は、図２及び図３に示すように、複数（例えば、２つ）のＬＥＤモジュール２２、取付部材２１、カバー２３、点灯装置３を備える。また、点灯装置３は、電源ユニット４と機能モジュール５を有する。
【００２０】
ＬＥＤモジュール２２は、前後方向に長い矩形板状に形成された実装基板２２１を有する（図３参照）。実装基板２２１は、その下面に複数のＬＥＤ（Light Emitting Diode）２２２が前後方向（長手方向）に沿い、かつ２列に並べて実装されている。また、一方のＬＥＤモジュール２２の前端部には、電源ユニット４との間を電気的に接続するためのコネクタが実装されている。このコネクタには、電源ユニット４の出力線４３が電気的に接続される。
【００２１】
また、各ＬＥＤモジュール２２において隣接するＬＥＤモジュール２２と対向する端部には、電源供給用のコネクタ２２４がそれぞれ実装されている（図３参照）。そして、両ＬＥＤモジュール２２のコネクタ２２４同士が電気的に接続されることで、一方のＬＥＤモジュール２２から他方のＬＥＤモジュール２２に点灯電力が中継される。
【００２２】
取付部材２１は、板金に曲げ加工を施すことでＵ字状に形成され、長尺かつ矩形板状に形成された底板２１１と、底板２１１の左右方向（幅方向）における両端から上下方向（底板２１１と直交する方向）に延出する一対の側板２１２とで構成される。各側板２１２の先端（上端）には、図３に示すように、互いに離れる向き（外向き）に傾斜する傾斜部２１２Ａがそれぞれ全長にわたって設けられている。
【００２３】
底板２１１の前端部には、電源ユニット４の出力線４３を通すための孔が設けられている。また、底板２１１の前後方向における中央部には、底板２１１の一部を上向きに突き出させることで形成された矩形の凹部が設けられている。この凹部は、両ＬＥＤモジュール２２を取付部材２１に取り付けた状態で、コネクタ２２４と取付部材２１の底板２１１との間の絶縁距離を確保するために設けられる。なお、上述したＬＥＤモジュール２２は、例えば取付部材２１の底板２１１の一部を切り起こすことで形成された爪により取付部材２１に固定される。
【００２４】
また、取付部材２１は、長手方向における両端寄りの位置において幅方向の一端側に延びる一対の引掛金具２１４と、幅方向の他端側に配置される一対の引掛ばね２１５とを有している（図２参照）。一対の引掛金具２１４の先端が、器具本体１０の一方の側板１１２に設けられた一対の挿通孔１１２Ａのそれぞれに引っ掛けられる。また、一対の引掛ばね２１５は、器具本体１０の他方の側板１１２に設けられた引掛部１１２０に引っ掛けられる。
【００２５】
カバー２３は、光拡散性を有する材料（例えば乳白色のアクリル樹脂）により上面（取付部材２１側の面）が開口する長尺の箱形に形成されている。また、カバー２３は、左右方向（幅方向）において両端側から中央側に行くほど下側への突出量が大きくなるような凸レンズ形状の曲面部２３１を有している（図３参照）。
【００２６】
カバー２３の左右方向における両端部には、図３に示すように、光源ユニット２を器具本体１０に取り付けた状態で、上下方向において器具本体１０の凹部１１の開口端縁と重なる延出部２３２がそれぞれ設けられている。さらに、カバー２３の左右方向において各延出部２３２の内側には、上側（取付部材２１側）に突出する突壁部２３３がそれぞれ全長にわたって設けられており、各突壁部２３３の先端には内向きに突出する突起部２３３Ａがそれぞれ設けられている。また、各突壁部２３３の根元近くには、それぞれ内向きに突出する支持片２３３Ｂが突出している。
【００２７】
電源ユニット４は、第１プリント配線板４０に電子部品が実装されて構成されている。第１プリント配線板４０は、第１ケース４２に収容される。電源ユニット４の回路図を図４に示す。電源ユニット４は、電源入力部４００、フィルタ回路４０１、整流部４０２、昇圧回路４０３、降圧回路４０４、電源出力部４０５、主制御回路４０６を備える。電源ユニット４は、制御電源回路４０７、調光制御回路４０８、消灯制御回路４０９、信号入力部４１０、電圧検出回路４１１を更に備える。
【００２８】
電源入力部４００は、レセプタクルコネクタからなり、端子台２５から引き出された電線２５０と電気的に接続されているプラグコネクタ２５１（図２参照）が差込接続される。フィルタ回路４０１は、コモンモードチョークコイル４０１０と、アクロス・ザ・ラインコンデンサ４０１１とを有する。整流部４０２は、ダイオードブリッジである。整流部４０２は、フィルタ回路４０１及び電源入力部４００を介して外部電源９から入力される交流電圧を全波整流して直流出力端子から出力する。
【００２９】
昇圧回路４０３は、チョークコイルＬ１、スイッチング素子Ｑ１、整流素子Ｄ１、平滑コンデンサＣ１を有する昇圧チョッパ回路（力率改善回路）である。昇圧回路４０３は、整流部４０２から出力される脈流電圧を、当該脈流電圧のピーク値よりも高い直流電圧（例えば、４００ボルトの直流電圧）に変換する。
【００３０】
また、降圧回路４０４は、スイッチング素子Ｑ２、インダクタＬ２、整流素子Ｄ２、抵抗器Ｒ１、平滑コンデンサＣ２を有する降圧チョッパ回路（バックコンバータ）である。降圧回路４０４は、昇圧回路４０３から出力される直流電圧を、負荷であるＬＥＤモジュール２２に適した直流電圧に降圧する。電源出力部４０５は、レセプタクルコネクタからなり、降圧回路４０４の出力端子（平滑コンデンサＣ２の両端）と電気的に接続される。なお、昇圧回路４０３と降圧回路４０４が電源回路を構成している。
【００３１】
電圧検出回路４１１は、壁スイッチ８０のオン／オフ操作を検出する。電圧検出回路４１１は、降圧回路４０４の出力端間（平滑コンデンサＣ２の両端間）に電気的に直列接続された複数の抵抗器Ｒ２、Ｒ３と、低電位側の抵抗器Ｒ３に電気的に並列接続されたツェナーダイオードＺＤ１とを有する。電圧検出回路４１１は、降圧回路４０４の出力電圧を複数の抵抗器Ｒ２、Ｒ３で分圧した検出電圧（降圧回路４０４の出力電圧に比例した電圧）を出力する。
【００３２】
主制御回路４０６は、昇圧回路４０３のスイッチング素子Ｑ１並びに降圧回路４０４のスイッチング素子Ｑ２をそれぞれスイッチングし、昇圧回路４０３の出力電圧を一定に維持するとともに、降圧回路４０４の出力電流を目標値に一致させる。制御電源回路４０７は、昇圧回路４０３の出力電圧から制御電圧（例えば、１５Ｖ〜３Ｖ程度の直流電圧）を生成するように構成される。主制御回路４０６は、制御電源回路４０７から供給される制御電圧で動作する。
【００３３】
信号入力部４１０は、レセプタクルコネクタからなり、機能モジュール５のプラグコネクタ５０４が差込接続される（図５参照）。後述するように、機能モジュール５から出力される制御信号が信号入力部４１０を介して調光制御回路４０８と消灯制御回路４０９に入力される。
【００３４】
消灯制御回路４０９は、制御信号に応じて、点灯中のＬＥＤモジュール２２を消灯させるための消灯信号を生成して主制御回路４０６に出力する。主制御回路４０６は、消灯信号を受け取ると、スイッチング素子Ｑ２のスイッチングを中止して降圧回路４０４を停止させ、ＬＥＤモジュール２２を消灯する。
【００３５】
また、調光制御回路４０８は、制御信号に応じて、ＬＥＤモジュール２２の光出力（調光レベル）を指示する調光信号を生成して主制御回路４０６に出力する。なお、調光レベルは、定格電力が供給されているときのＬＥＤモジュール２２の光出力を１００％としたとき、ＬＥＤモジュール２２に供給される単位時間当たりの平均電力の定格電力に対する比率（％）で表される。例えば、ＬＥＤモジュール２２に供給される単位時間当たりの平均電力が定格電力の半分のとき、調光レベルが５０％となる。言い換えると、調光制御回路４０８は、制御信号で指示される調光レベルが５０％であれば、降圧回路４０４からＬＥＤモジュール２２に供給される単位時間当たりの平均電力を定格電力の半分にするように指示する調光信号を生成する。主制御回路４０６は、調光制御回路４０８から受け取る調光信号に応じて、スイッチング素子Ｑ２のオンデューティ比を調整することが好ましい。更に詳しく説明すると、調光制御回路４０８は、抵抗器Ｒ１の両端電圧から降圧回路４０４の出力電流を検出し、当該出力電流の平均値を調光レベルに対応した目標値に一致させるように、調光信号を生成することが好ましい。
【００３６】
第１プリント配線板４０は、図５に示すように、長尺の矩形平板状の絶縁基板の裏面に配線用の導体（銅箔）がプリントされて構成される。第１プリント配線板４０の表面に、コネクタや平滑コンデンサ、コモンモードチョークコイル４０１０などの、いわゆるリード部品が実装される。そして、第１プリント配線板４０の裏面に、整流部４０２、主制御回路４０６、調光制御回路４０８、消灯制御回路４０９などの表面実装部品が実装される。ここで、電源入力部４００は、第１プリント配線板４０の長手方向の端部（以下、第１端部と呼ぶ。）の表面に実装される。一方、電源出力部４０５及び信号入力部４１０は、第１プリント配線板４０の長手方向の他端部（以下、第２端部と呼ぶ。）の表面に実装される。そして、第１端部から第２端部に向かって、フィルタ回路４０１、整流部４０２、昇圧回路４０３、降圧回路４０４、電源出力部４０５が順番に第１プリント配線板４０に実装される。また、主制御回路４０６、制御電源回路４０７、調光制御回路４０８、消灯制御回路４０９は、整流部４０２から第２端部に向かって順番に第１プリント配線板４０に実装される。なお、整流部４０２は、第１プリント配線板４０の裏面に実装されているため、図５には図示されていないが、おおよそコモンモードチョークコイル４０１０から若干第２端部寄りの位置に実装されている。
【００３７】
第１ケース４２は、図３及び図５に示すように、底板と、底板の短手方向に沿った端縁から立ち上がる一対の第１側板４２１Ａ、４２１Ｂと、底板の長手方向に沿った端縁から立ち上がる一対の第２側板４２２Ａ、４２２Ｂとを有する。すなわち、第１ケース４２は、底板の前方が開放された長尺の箱形に形成されている。また、第１ケース４２は、片方の第２側板４２２Ａの先端から外向きに突出する固定板４２３を備えている。固定板４２３は、図５に示すように角樋状に形成されている。
【００３８】
第１プリント配線板４０は、裏面を底板に対向させ、かつ第２端部を第１側板４２１Ａ側とする向きで第１ケース４２内に収納され、一対の第２側板４２２Ａ、４２２Ｂから切り起こされる４つの爪４２２０で第１ケース４２に固定される（図５参照）。なお、電源入力部４００の差込口は、第１端部側の第１側板４２１Ｂに設けられた矩形の窓孔を通して第１ケース４２の外に突出する。
【００３９】
電源ユニット４は、図２に示すように、第１ケース４２の底板が上になるように、光源ユニット２の取付部材２１に取り付けられる。具体的には、第２側板４２２Ｂ及び固定板４２３が取付部材２１の各側板２１２にねじ止めされることによって、第１ケース４２が取付部材２１に固定される。また、取付部材２１に取り付けられた状態において、第１ケース４２の開口が取付部材２１の底板２１１で塞がれる。
【００４０】
機能モジュール５は、プリント配線板に電子部品が実装されて構成される回路部と、前記回路部を収納する第２ケース５１とを有する。回路部は、図４に示すように制御回路５００と、信号出力部５０２と、信号ケーブル５０３とを備える。
【００４１】
制御回路５００は、マイクロコントローラを有する。制御回路５００は、マイクロコントローラのＣＰＵ（Central Processing Unit）でプログラムを実行することにより、後述する種々の機能を実現する。
【００４２】
信号出力部５０２は、信号ケーブル５０３を介して電源ユニット４の信号入力部４１０と電気的に接続される。信号ケーブル５０３は４本の電線５０３Ａ〜５０３Ｄを有する。電線５０３Ａは、電源ユニット４のグランドと制御回路５００のグランド端子を電気的に接続する。電線５０３Ｂは、制御電源回路４０７の出力端子と制御回路５００の電源入力端子を電気的に接続する。電線５０３Ｃは、調光制御回路４０８及び消灯制御回路４０９と制御回路５００の出力端子（マイクロコントローラの出力ポート）を電気的に接続する。電線５０３Ｄは、電圧検出回路４１１の出力端子（二つの抵抗器Ｒ２、Ｒ３の接続点）と制御回路５００の入力端子（マイクロコントローラの入力ポート）を電気的に接続する。制御回路５００は、２本の電線５０３Ａ、５０３Ｂを介して電源ユニット４の制御電源回路４０７から制御電源電圧が供給されて動作する。
【００４３】
機能モジュール５は、第２ケース５１の内部に前記回路部を収容する。機能モジュール５は、第１ケース４２の長手方向の端部（第１側板４２１Ａ側の端部）に第２ケース５１を結合するようにして第１ケース４２に取り付けられる（図５参照）。
【００４４】
機能モジュール５の制御回路５００は、初期照度補正機能を実現する。初期照度補正機能とは、ＬＥＤモジュール２２の使用開始から寿命末期までの間、光出力がほぼ一定（例えば、定格の光出力に対して８０％の割合）に保たれるように、光源の累積点灯時間に対応して調光レベルを調整する機能である。
【００４５】
制御回路５００は、電源ユニット４の制御電源回路４０７から制御電源電圧が供給されている時間（マイクロコントローラが動作している時間）を計測して内蔵のメモリ（不揮発性の半導体メモリ）に記憶する。制御回路５００は、メモリに記憶する前記時間の累積値をＬＥＤモジュール２２の累積点灯時間とみなす。ここで、制御回路５００を構成するマイクロコントローラの内蔵メモリには、図６に実線で示す照度補正特性が記憶されている。この照度補正特性は、累積点灯時間（横軸ｔ）と調光レベル（縦軸％）との関係を表している。この照度補正特性では、累積点灯時間ｔ＝０のときの調光レベルの初期値が１００％よりも低い値（例えば、８０％）に設定され、累積点灯時間に比例して調光レベルが徐々に増大するように設定される。なお、この照度補正特性は、累積点灯時間ｔがあらかじめ設定された寿命時間ｔ１に達したときに、調光レベルを１００％とするように設定される。制御回路５００は、所定時間ごと（例えば、数分〜数時間ごと）に、累積点灯時間ｔに対応した調光レベルを照度補正特性から決定し、決定した調光レベルを指示する制御信号を生成して信号出力部５０２から電源ユニット４へ出力する。
【００４６】
また、機能モジュール５の制御回路５００は、ワンツースイッチ機能を実現する。ワンツースイッチ機能とは、従来技術で説明したように、壁スイッチ８０のオン／オフ操作に応じてＬＥＤモジュール２２の点灯状態（例えば、調光レベル）を変更する機能である。
【００４７】
制御回路５００は、電源ユニット４の電圧検出回路４１１の検出電圧（降圧回路４０４の出力電圧に比例した電圧）を２本の電線５０３Ａ、５０３Ｄを通して入力ポートに取り込む。制御回路５００は、検出電圧がしきい値電圧よりも高ければ壁スイッチ８０がオン状態であると判断し、検出電圧がしきい値電圧以下であれば壁スイッチ８０がオフ状態であると判断する。制御回路５００は、壁スイッチ８０がオン状態からオフ状態、更にオフ状態からオン状態へと切り替わる時間及び回数を検出することにより、壁スイッチ８０のオン／オフ操作が複数の操作パターンのうちのいずれの操作パターンに該当するかを判定（検出）する。
【００４８】
制御回路５００のメモリには、第１の操作パターンと第２の操作パターンの判定基準が記憶されている。第１の操作パターンの判定基準は、オフ状態からオン状態への切替えの回数が３回であり、かつ、オフ状態及びオン状態の各々の継続時間Ｔ１が（１−β）秒＜Ｔ１＜（１＋α）秒の条件を満たすことである（図７Ａ参照）。ただし、αは１秒、βは０．５秒程度が好ましい。一方、第２の操作パターンの判定基準は、オフ状態からオン状態への切替えの回数が２回であり、かつ、オフ状態及びオン状態の各々の継続時間Ｔ２が（３−γ）秒＜Ｔ２＜（３＋δ）秒の条件を満たすことである（図７Ｂ参照）。ただし、γ及びδは１秒程度が好ましい。
【００４９】
制御回路５００は、第１の操作パターンに該当する壁スイッチ８０のオン／オフ操作を検出した場合、初期照度補正から決定した調光レベル（例えば、８０％）に関係なく、調光レベルを１００％に切り替える。そして、制御回路５００は、１００％の調光レベルを指示する制御信号を生成して信号出力部５０２から電源ユニット４へ出力する。電源ユニット４は、制御回路５００から受け取る制御信号に応じて降圧回路４０４を制御し、ＬＥＤモジュール２２を調光レベル１００％で定格点灯させる。
【００５０】
一方、制御回路５００は、第２の操作パターンに該当する壁スイッチ８０のオン／オフ操作を検出した場合、調光レベルを初期照度補正から決定した調光レベルに切り替える。そして、制御回路５００は、初期照度補正から決定した調光レベル（例えば、８０％）を指示する制御信号を生成して信号出力部５０２から電源ユニット４へ出力する。電源ユニット４は、制御回路５００から受け取る制御信号に応じて降圧回路４０４を制御し、ＬＥＤモジュール２２を初期照度補正から決定した調光レベルで調光点灯させる。
【００５１】
ここで、図１に示した照明システム８において、壁スイッチ８０で第１の操作パターンに該当するオン／オフ操作が行われたにもかかわらず、複数の照明器具１のうちの１台の照明器具１の調光レベルが変化しなかったと仮定する。そして、再度、壁スイッチ８０で第１の操作パターンに該当するオン／オフ操作が行われると、正常な照明器具１（既に調光レベルが１００％に変化した照明器具１）では、第１の操作パターンのオン／オフ操作を検出しても調光レベルが変化しない。一方、失敗した照明器具１（先のオン／オフ操作で調光レベルが変化しなかった照明器具１）では、第１の操作パターンに該当するオン／オフ操作を検出すると調光レベルが変化する。その結果、複数（６台）の照明器具１がすべて同じ点灯状態、すなわち、ＬＥＤモジュール２２を調光レベル１００％で定格点灯させる状態にそろうことになる。
【００５２】
また、図１に示した照明システム８において、壁スイッチ８０で第２の操作パターンに該当するオン／オフ操作が行われたにもかかわらず、複数の照明器具１のうちの１台の照明器具１の調光レベルが変化しなかったと仮定する。そして、再度、壁スイッチ８０で第２の操作パターンに該当するオン／オフ操作が行われると、正常な照明器具１（既に調光レベルが８０％に変化した照明器具１）では、第２の操作パターンのオン／オフ操作を検出しても調光レベルが変化しない。一方、失敗した照明器具１（先のオン／オフ操作で調光レベルが変化しなかった照明器具１）では、第２の操作パターンに該当するオン／オフ操作を検出すると調光レベルが変化する。その結果、複数（６台）の照明器具１がすべて同じ点灯状態、すなわち、ＬＥＤモジュール２２を初期照度補正した調光点灯状態（調光レベル８０％で調光点灯させる状態）にそろうことになる。なお、制御回路５００は、壁スイッチ８０がオン状態からオフ状態を経てオン状態に操作された場合、メモリに記憶している状態（オフ状態に切り替わる前の状態）を再現するように降圧回路４０４を制御する。
【００５３】
したがって、点灯装置３の制御回路５００では、ＬＥＤモジュール２２の点灯状態が、既に変更されているべき点灯状態と異なる点灯状態である場合、壁スイッチ８０のオン／オフ操作を検出したときに、既に変更されているべき点灯状態に切り替えるように降圧回路４０４を制御する。ここで、「既に変更されているべき点灯状態」とは、壁スイッチ８０のオン／オフ操作を正しく検出していれば、既に変更されているはずの点灯状態を意味している。上述した事例においては、壁スイッチ８０で第２の操作パターンに該当するオン／オフ操作が行われたときに切り替えられる点灯状態、すなわち、ＬＥＤモジュール２２を調光レベル８０％で点灯させる状態が「既に変更されているべき点灯状態」を意味している。ゆえに、上述した事例において、「既に変更されているべき点灯状態と異なる点灯状態」は、ＬＥＤモジュール２２を調光レベル１００％で定格点灯させている状態を意味している。
【００５４】
さらに、制御回路５００は、壁スイッチ８０のオン／オフ操作の複数のパターンを記憶することが好ましい。制御回路５００は、検出したオン／オフ操作のパターンに一致する一つのパターン（第１の操作パターン又は第２の操作パターン）を複数のパターンの中から選択し、選択したパターンに応じてＬＥＤモジュール２２の点灯状態を切り替えることが好ましい。ゆえに、点灯装置３は、既に変更されているべき点灯状態に切り替えるに当たり、使用者による壁スイッチ８０の操作の手間の削減を図ることができる。
【００５５】
なお、制御回路５００のメモリに記憶されるオン／オフ操作のパターンの個数は２個に限定されず、３個以上であってもかまわない。また、各オン／オフ操作のパターンと対応するＬＥＤモジュール２２の点灯状態は、定格点灯状態（調光レベル１００％の点灯状態）及び初期照度補正による調光点灯状態に限らない。さらに、電源回路（昇圧回路４０３及び降圧回路４０４）と制御回路５００が別々のケース（第１ケース４２と第２ケース５１）に収容されているが、一つのケースに電源回路と制御回路５００が収容されてもかまわない。
【００５６】
次に、実施形態に係る点灯装置３の変形例を説明する。変形例の点灯装置３は、実施形態に係る点灯装置３と同一の構成を有している。
【００５７】
変形例の点灯装置３では、制御回路５００は、壁スイッチ８０のオン／オフ操作を検出した時点から一定時間内においては、壁スイッチ８０の新たなオン／オフ操作の検出結果を無視することが好ましい。制御回路５００は、一定時間が経過した後に壁スイッチ８０の新たなオン／オフ操作を検出した場合、当該オン／オフ操作に応じてＬＥＤモジュール２２の点灯状態を切り替えることが好ましい。
【００５８】
変形例の点灯装置３を有する照明器具１からなる照明システム８において、壁スイッチ８０でオン／オフ操作が行われたにもかかわらず、複数の照明器具１のうちの１台の照明器具１の調光レベルが変化しなかったと仮定する。そして、一定時間内に再度、壁スイッチ８０でオン／オフ操作が行われると、正常な照明器具１（既に調光レベルが１００％に変化した照明器具１）では、オン／オフ操作の検出結果が無視される。一方、失敗した照明器具１（先のオン／オフ操作で調光レベルが変化しなかった照明器具１）では、オン／オフ操作を検出すると調光レベルが変化する。その結果、複数（６台）の照明器具１がすべて同じ点灯状態にそろうことになる。なお、制御回路５００において、オン／オフ操作の検出結果を無視する一定時間は、数百ミリ秒〜数秒程度が好ましい。
【００５９】
ここで、点灯装置３では、昇圧回路４０３の入力電圧を検出することで壁スイッチ８０のオン／オフ操作を検出してもかまわない。ただし、実施形態及び変形例の点灯装置３では、外部電源９から交流電圧が入力される電源入力部４００が第１プリント配線板４０の第１端部側に配置され、制御回路５００が第１プリント配線板４０の第２端部の外側に配置されている。そのため、電圧検出回路で昇圧回路４０３の入力電圧を検出する場合、電圧検出回路と制御回路５００を電気的に接続するための配線長が長くなってしまい、配線作業が困難になるといった課題が生じてしまう。
【００６０】
一方、実施形態及び変形例の点灯装置３では、降圧回路４０４の出力電圧を電圧検出回路４１１で検出することで壁スイッチ８０のオン／オフ操作を検出している。そのため、点灯装置３では、電圧検出回路４１１から制御回路５００までの配線長を短くすることができる。
【００６１】
上述のように第１の態様に係る点灯装置（３）は、壁スイッチ（８０）を介して外部電源（９）と電気的に接続され、外部電源（９）から壁スイッチ（８０）を介して供給される電力によって光源（ＬＥＤモジュール２２）を点灯する。第１の態様に係る点灯装置（３）は、外部電源（９）から入力される電力を電力変換して光源に出力する電源回路（昇圧回路４０３及び降圧回路４０４）を備える。第１の態様に係る点灯装置（３）は、壁スイッチ（８０）のオン／オフ操作を検出する検出部（制御回路５００及び電圧検出回路４１１）を備える。第１の態様に係る点灯装置（３）は、検出部が検出するオン／オフ操作に応じて電源回路を制御し、光源の点灯状態を複数の点灯状態のうちの一つの点灯状態に切り替える制御回路（５００）を備える。制御回路（５００）は、検出部がオン／オフ操作を検出したときの前記光源の点灯状態が、既に変更されているべき点灯状態と異なる点灯状態である場合、既に変更されているべき点灯状態に切り替えるように電源回路を制御する。
【００６２】
第１の態様に係る点灯装置（３）は、光源の点灯状態を、既に変更されているべき点灯状態に切り替えるに当たり、使用者による壁スイッチ（８０）の操作の手間の削減を図ることができる。
【００６３】
第２の態様に係る点灯装置（３）は、第１の態様との組合せにより実現され得る。第２の態様に係る点灯装置（３）において、制御回路（５００）は、外部電源（９）から電力が供給されているときに検出部がオン／オフ操作を検出した場合、検出部が検出したオン／オフ操作に応じて切り替えた光源の点灯状態を記憶することが好ましい。制御回路（５００）は、外部電源（９）から電力の供給が開始されたとき、光源の点灯状態を、記憶している光源の点灯状態に切り替えるように電源回路を制御することが好ましい。
【００６４】
第２の態様に係る点灯装置（３）は、光源を消灯状態から点灯状態に切り替える際に、消灯前の光源の点灯状態を再現させることができる。
【００６５】
第３の態様に係る点灯装置（３）は、第１又は第２の態様との組合せにより実現され得る。第３の態様に係る点灯装置（３）において、制御回路（５００）は、オン／オフ操作の複数のパターンを記憶することが好ましい。制御回路（５００）は、検出部が検出するオン／オフ操作のパターンに一致する一つのパターンを複数のパターンの中から選択し、選択したパターンに応じて光源の点灯状態を切り替えることが好ましい。
【００６６】
第３の態様に係る点灯装置（３）は、一つの点灯状態から別の点灯状態に切り替える際のオン／オフ操作のパターンが個別に決められているので、使用者による壁スイッチ（８０）の操作の手間の削減を図ることができる。
【００６７】
第４の態様に係る点灯装置（３）は、第３の態様との組合せにより実現され得る。第４の態様に係る点灯装置（３）において、オン／オフ操作の複数のパターンは、壁スイッチ（８０）がオンしているオン時間、壁スイッチ（８０）がオフしているオフ時間、及び壁スイッチ（８０）が所定の期間内にオン及びオフする回数の組合せからなることが好ましい。
【００６８】
第４の態様に係る点灯装置（３）は、複数のパターンを識別することによって、光源を所望の点灯状態に確実に切り替えることができる。
【００６９】
第５の態様に係る点灯装置（３）は、第１又は第２の態様との組合せにより実現され得る。第５の態様に係る点灯装置（３）において、制御回路（５００）は、検出部がオン／オフ操作を検出した時点から一定時間内においては、検出部のオン／オフ操作の検出結果を無視することが好ましい。制御回路（５００）は、一定時間後に検出部が検出するオン／オフ操作に応じて光源の点灯状態を切り替えることが好ましい。
【００７０】
第５の態様に係る点灯装置（３）は、使用者がオン／オフ操作の複数のパターンを記憶する手間が不要であるので、使い勝手の向上を図ることができる。
【００７１】
第６の態様に係る点灯装置（３）は、第１〜第５の態様のうちの一つとの組合せにより実現され得る。第６の態様に係る点灯装置（３）において、検出部は、電源回路の出力電圧によって壁スイッチ（８０）のオン／オフ操作を検出することが好ましい。
【００７２】
第６の態様に係る点灯装置（３）は、検出部が電源回路の入力電圧によって壁スイッチ（８０）のオン／オフ操作を検出する場合に比べ、制御回路（５００）と検出部（電圧検出回路４１１）の配線長を短くすることができる。
【００７３】
第７の態様に係る点灯装置（３）は、第１〜第６の態様のうちの一つとの組合せにより実現され得る。第７の態様に係る点灯装置（３）は、電源回路と検出部と制御回路（５００）を収容するケース（第１ケース４２、第２ケース５１）を備えることが好ましい。ケース（第１ケース４２）の一端に電源回路の入力端子（電源入力部４００）が配置されることが好ましい。入力端子が配置されたケース（第１ケース４２）の一端に対して、電源回路を挟んで反対側に位置するケース（第１ケース４２）の他端に検出部が配置されることが好ましい。
【００７４】
第７の態様に係る点灯装置（３）は、検出部が電源回路の入力電圧によって壁スイッチ（８０）のオン／オフ操作を検出する場合に比べ、制御回路（５００）と検出部（電圧検出回路４１１）の配線長を短くすることができる。
【００７５】
第８の態様に係る照明器具（１）は、第１〜第７のいずれかの態様に係る点灯装置（３）と、点灯装置（３）に点灯させられる光源と、点灯装置（３）及び光源を支持する支持体（器具本体１０）とを備える。
【００７６】
第８の態様に係る照明器具（１）は、光源の点灯状態を、既に変更されているべき点灯状態に切り替えるに当たり、使用者による壁スイッチ（８０）の操作の手間の削減を図ることができる。
【００７７】
第９の態様に係る照明システム（８）は、第８の態様に係る照明器具（１）を複数有する。第９の態様に係る照明システム（８）は、外部電源（９）から複数の照明器具（１）への給電路を開閉する壁スイッチ（８０）を有する。
【００７８】
第９の態様に係る照明システム（８）は、光源の点灯状態を、既に変更されているべき点灯状態に切り替えるに当たり、使用者による壁スイッチ（８０）の操作の手間の削減を図ることができる。
【符号の説明】
【００７９】
１  照明器具
３  点灯装置
８  照明システム
９  外部電源
１０  器具本体（支持体）
２２  ＬＥＤモジュール（光源）
４２  第１ケース（ケース）
５１  第２ケース（ケース）
８０  壁スイッチ
４００  電源入力部（入力端子）
４０３  昇圧回路（電源回路）
４０４  降圧回路（電源回路）
４１１  電圧検出回路（検出部）
５００  制御回路（制御回路、検出部）
【図１】
2020053232.tif 000003
【図２】
2020053232.tif 000004
【図３】
2020053232.tif 000005
【図４】
2020053232.tif 000006
【図５】
2020053232.tif 000007
【図６】
2020053232.tif 000008
【図７】
2020053232.tif 000009